(57)【要約】【課題】電源地絡などの何らかの異常が発生した場合であっても、電源の一次側における電力遮断を速やかに行う。【解決手段】異常検知回路２７は、電源２９とアース間に、基準抵抗３１と、雰囲気温度が上昇するに従ってその抵抗値を上昇させるように動作するポジスタ３３とを直列接続して構成されている。定着ローラ３９に異常発熱が生じたときには、ポジスタ３３がその抵抗値を上昇させ、これに伴って接続点３５の電位が上昇してゆく。従って、電源地絡などの何らかの異常が発生した場合であっても、電源の一次側における電力遮断を速やかに行うことができる。【選択図】  図１
2008206245.tif 000002
【特許請求の範囲】
【請求項１】
電源における一次側に設けられるスイッチ素子と、
このスイッチ素子を開放又は閉止させる付勢手段と、
異常時に発熱する発熱体の近傍に設けられる異常検知手段と、
前記付勢手段の付勢制御を行う付勢制御手段と、を備え、
前記付勢制御手段は、前記異常検知手段が前記発熱体の異常発熱を検知したとき、前記付勢手段を、前記スイッチ素子を開放させるように付勢する制御を行う
ことを特徴とする保護装置。
【請求項２】
請求項１記載の保護装置であって、
前記異常検知手段は、電源とアース間に、基準抵抗と、雰囲気温度が上昇するに従ってその抵抗値を上昇させるように動作するポジスタとを直列接続してなる異常検知回路から構成されており、
前記付勢制御手段は、前記基準抵抗と前記ポジスタとの接続点の電位が所定値を超えたときに、前記付勢手段を、前記スイッチ素子を開放させるように付勢動作するトランジスタである
ことを特徴とする保護装置。
【請求項３】
請求項２記載の保護装置であって、
前記異常検知回路は、前記電源とアース間に、前記基準抵抗と、複数のポジスタとを直列接続してなり、
複数のポジスタは、複数の前記発熱体の近傍にそれぞれ設けられる
ことを特徴とする保護装置。
【請求項４】
請求項１〜３のいずれかに記載の保護装置であって、
前記スイッチ素子及び前記付勢手段は、前記電源の一次側回路の開閉切換えを行うための主電源スイッチに内蔵される
ことを特徴とする保護装置。
【請求項５】
請求項１〜４のいずれかに記載の保護装置が搭載された画像形成装置であって、前記異常検知手段を、定着ユニットに近接させて設けた
ことを特徴とする画像形成装置。
【発明の詳細な説明】
【技術分野】
【０００１】
本発明は、電源地絡などの何らかの異常が発生した場合には、電源の一次側における電力遮断を速やかに行うことが可能な保護装置、及びかかる保護装置を搭載した画像形成装置に関する。
【背景技術】
【０００２】
例えば、複写機、プリンタ、ファクシミリ又はこれらの複合機を含む画像形成装置は、感光体を帯電させるための高電圧発生部、感光体を含む各部を駆動させる駆動部、トナー像を定着させるための高温発生部等を有している。これら各部において、電源地絡などの何らかの異常が発生した場合、該当箇所を損傷させるおそれがある。
【０００３】
かかる課題を解決するためのアプローチのひとつとして、電源の一次側に、流れる電流が大きくなるに従って抵抗値が大きくなるタイプの電流制限素子を設け、過電圧対策とする技術が提案されている（特許文献１）。
【０００４】
特許文献１の技術によれば、電源地絡などによって誤って過電圧が印加された場合であっても、電源の二次側に過電流が流れ込むことでマイコン等の各素子が損傷を来たすことを未然に防止することができる。
【０００５】
しかしながら、特許文献１の従来技術では、電源の二次側における各素子が損傷を来たすことを未然に防止することは可能であるものの、電源の一次側における電力供給は継続したままであった。
【０００６】
【特許文献１】特開２００１−２８２３６６号公報
【発明の開示】
【発明が解決しようとする課題】
【０００７】
解決しようとする問題点は、電源地絡などの何らかの異常が発生した場合に、電源の一次側における電力遮断を行うことはできなかった点である。
【課題を解決するための手段】
【０００８】
本発明は、電源地絡などの何らかの異常が発生した場合には、電源の一次側における電力遮断を速やかに行うことを目的として、電源における一次側に設けられるスイッチ素子と、このスイッチ素子を開放又は閉止させる付勢手段と、異常時に発熱する発熱体の近傍に設けられる異常検知手段と、前記付勢手段の付勢制御を行う付勢制御手段と、を備え、この付勢制御手段は、前記異常検知手段が前記発熱体の異常発熱を検知したとき、前記付勢手段を、前記スイッチ素子を開放させるように付勢する制御を行うことを最も主要な特徴とする。
【発明の効果】
【０００９】
本発明に係る保護装置は、電源における一次側に設けられるスイッチ素子と、このスイッチ素子を開放又は閉止させる付勢手段と、異常時に発熱する発熱体の近傍に設けられる異常検知手段と、前記付勢手段の付勢制御を行う付勢制御手段と、を備えて構成され、この付勢制御手段は、前記異常検知手段が前記発熱体の異常発熱を検知したとき、前記付勢手段を、前記スイッチ素子を開放させるように付勢する制御を行い、これによって、例えばトランス等の発熱体の異常発熱を検知したときには電源における一次側に設けられるスイッチ素子を開放するようにしたので、従って、電源地絡などの何らかの異常が発生した場合であっても、電源の一次側における電力遮断を速やかに行うことができる。
【発明を実施するための最良の形態】
【００１０】
電源地絡などの何らかの異常が発生した場合であっても、電源の一次側における電力遮断を速やかに行うといった目的を、異常検知手段が発熱体の異常発熱を検知したとき、付勢手段を、スイッチ素子を開放させるように付勢する制御を行う付勢制御手段により実現した。
【実施例】
【００１１】
以下、本発明に係る保護装置及び画像形成装置について、図面を参照しつつ詳細に説明する。
【００１２】
［保護装置が搭載された画像形成装置］
図１は、本発明に係る保護装置が搭載された画像形成装置の主要部を示す回路構成図である。
【００１３】
図１に示すように、保護装置１１は、電源の一次側回路１３の開閉切換えを行うための主電源スイッチ１５を備えている。一次側回路１３には、同回路１３を開放又は閉止するためのスイッチ素子１７が設けてある。このスイッチ素子１７は、主電源スイッチ１５に設けられるシーソー式可動片１９がＯＮ操作されると閉止（ＯＮ）する一方、ＯＦＦ操作されると開放（ＯＦＦ）するように動作する。
【００１４】
また、スイッチ素子１７を開放又は閉止させるために、スイッチ素子１７と対向しかつ近接する位置には、コイル（本発明の「付勢手段」に相当する。）２１が設けられている。これによって、コイル２１に電流（図１中の「リモートリセット信号」）が流れると、スイッチ素子１７の可動鉄片が開放方向に付勢されることで、一次側回路１３を開放（ＯＦＦ）するように動作する。なお、スイッチ素子１７及びコイル２１は、主電源スイッチ１５に内蔵されている。
【００１５】
コイル２１は、その一端に電源２３が接続される一方で、その他端にはトランジスタ（本発明の「付勢制御手段」に相当する。）２５のコレクタ端子が接続されている。そして、トランジスタ２５のエミッタ端子は接地されている。
【００１６】
発熱体の異常発熱を検知したときに、この旨をトランジスタ２５に伝えるために、トランジスタ２５のベース端子には、異常検知回路（本発明の「異常検知手段」に相当する。）２７が接続されている。
【００１７】
異常検知回路２７は、電源２９とアース間に、基準抵抗３１と、雰囲気温度が上昇するに従ってその抵抗値を上昇させるように動作するポジスタ３３とを直列接続して構成されている。なお、ポジスタ３３は、異常時に発熱する発熱体の近傍に設けられる。本実施例では、ポジスタ３３は、定着ユニット３７における定着ローラ３９の近傍に設けてある。また、基準抵抗３１とポジスタ３３との接続点３５は、トランジスタ２５のベース端子に接続されている。
【００１８】
［実施例の作用効果］
以上の如く構成された本実施例に係る保護装置１１によれば、定着ローラ３９に異常発熱が生じたときには、ポジスタ３３がその抵抗値を上昇させ、これに伴って接続点３５の電位が上昇してゆく。このとき、かかる接続点３５の電位が所定値を超えると、トランジスタ２５がオンし、コイル２１に電流（リセットリモート信号）が流れることで、スイッチ素子１７を開放させる。従って、電源地絡などの何らかの異常が発生した場合であっても、電源の一次側における電力遮断を速やかに行うことができる。
【００１９】
［その他］
本発明は、上述した実施例に限られるものではなく、請求の範囲及び明細書全体から読み取れる発明の要旨、あるいは技術思想に反しない範囲で適宜変更可能であり、そのような変更を伴う保護装置及び画像形成装置もまた、本発明における技術的範囲の射程に包含されるものである。
【００２０】
すなわち、本実施例において、異常検知回路（異常検知手段）２７の一部を構成するポジスタ３３を、定着ローラ３９に近接させてひとつ設ける例を挙げて説明したが、本発明はかかる実施例に限定されるものではなく、例えば、複数のポジスタ３３を、複数の発熱体にそれぞれ設けるように構成してもよい。この場合、複数のポジスタ３３は直列接続される。これによって、複数のポジスタ３３のうちいずれかひとつが異常を検知すると、接続点３５の電位が異常検出時の電位まで上昇するので、従って、複数の発熱体における異常検知を、ひとつの保護装置１１で実現することができる。
【００２１】
最後に、本発明実施例において、本発明に係る保護装置を、画像形成装置に適用した例をあげて説明したが、本発明はかかる実施例に限定されるものではなく、例えば車両や自動車、又は家電機器などの、電源回路を搭載した広範囲にわたる電子機器に適用可能であることはいうまでもない。
【図面の簡単な説明】
【００２２】
【図１】本発明に係る保護装置が搭載された画像形成装置の主要部を示す回路構成図である。
【符号の説明】
【００２３】
１１  保護装置
１３  電源の一次側回路
１５  主電源スイッチ
１７  スイッチ素子
１９  シーソー式可動片
２１  コイル（付勢手段）
２３  電源
２５  トランジスタ（付勢制御手段）
２７  異常検知回路（異常検知手段）
２９  電源
３１  基準抵抗
３３  ポジスタ
３５  接続点
３７  定着ユニット
３９  定着ローラ
【図１】
2008206245.tif 000003